(57)【特許請求の範囲】
【請求項１】
ガイドシース内に押し入れて使用される高周波加温バルーンカテーテルであって、
外筒シャフトと前記外筒シャフト内をスライド可能な内筒シャフトとからなるカテーテルシャフトと、
前記内筒シャフトの前端部が前記外筒シャフトの前端部よりも前方へスライドされ膨張した状態で標的病変部に接触可能な形状を有する前記外筒シャフトと前記内筒シャフトとの間に設置されたバルーンと、
高周波電力を伝送可能な前記バルーンの壁内又はバルーン内に配設された高周波通電用電極と、
前記バルーン内の温度をモニター可能な温度センサーと、
前記内筒シャフト内に挿通され前記内筒シャフトの前端部から突出し前前記バルーンが前記標的病変部に接触した状態で記標的病変部の近傍に当接して前記バルーンを支持可能な先端部に折れ曲がり部を有するガイドワイヤーと、
前記内筒シャフトの前記前端部よりも後方に位置するとともに前記バルーンの前方に位置し前記内筒シャフトのバルーン近接部位に取り付けられ、前記バルーンが膨張した状態であって前記ガイドワイヤーが前記標的病変部の近傍に当接して前記バルーンを支持した状態で前記標的病変部の近傍部の電位をモニター可能なモニター用電極と、
を備え、
前記モニター用電極は、
前記内筒シャフトの外側回りに配設され、前記ガイドシース内にある拘束状態から抜け出ると前記内筒シャフトの軸心に直交する方向に展開可能である１本以上の電気的に絶縁被覆された針金部材と、
前記１本以上の針金部材の各々の針金部材に取り付けられ前記標的病変部近傍の電位を検出する電極部とを有し、
前記バルーンの前方の前記内筒シャフトに固定して設けられ、前記１本以上の針金部材の各々の針金部材の後方側端部が取り付けられる電気的絶縁性の後方電極保持部を備える
ことを特徴とする高周波加温バルーンカテーテル。
【請求項２】
前記後方電極保持部の前方の前記内筒シャフト上に、前記内筒シャフトの軸心方向にスライド可能に設けられ、前記１本以上の針金部材の各々の針金部材の前方側端部が取り付けられる電気的絶縁性の前方電極保持部を備え、
前記前方電極保持部が後方側へスライドして前記モニター用電極が展開する
ことを特徴とする請求項１に記載の高周波加温バルーンカテーテル。
【請求項３】
前記針金部材は、弓状に展開可能であり、
前記電極部は前記針金部材の中間部に設けられている
ことを特徴とする請求項２に記載の高周波加温バルーンカテーテル。
【請求項４】
前記内筒シャフトに接する前記前方電極保持部の面は、断面視において前記内筒シャフトの軸方向の周面に対して弓状の曲面に形成されている
ことを特徴とする請求項２に記載の高周波加温バルーンカテーテル。
【請求項５】
前記針金部材は、先端部が自由端であって、釣鐘状に展開可能であり、
前記電極部は前記針金部材の前記前方側端部に設けられている
ことを特徴とする請求項１に記載の高周波加温バルーンカテーテル。
【請求項６】
前記後方電極保持部は前記バルーンの外側にある
ことを特徴とする請求項１に記載の高周波加温バルーンカテーテル。
【請求項７】
前記後方電極保持部は前記バルーンの内側にある
ことを特徴とする請求項１に記載の高周波加温バルーンカテーテル。
【請求項８】
前記針金部材は形状記憶合金からなる
ことを特徴とする請求項１に記載の高周波加温バルーンカテーテル。
【請求項９】
前記１本以上の針金部材の本数は１本乃至１０本のいずれかである
ことを特徴とする請求項１に記載の高周波加温バルーンカテーテル。
【請求項１０】
前記電極部は、１個乃至１０個の電極ユニットからなる
ことを特徴とする請求項１に記載の高周波加温バルーンカテーテル。
【請求項１１】
前記バルーン後方側の前記カテーテルシャフトに第２のモニター用電極を備える
ことを特徴とする請求項１に記載の高周波加温バルーンカテーテル。
【請求項１２】
前記モニター用電極と前記第２モニター用電極との間に微小直流電流を流し電極間インピーダンスの変化を測定するインピーダンス測定器が外部に接続されている
ことを特徴とする請求項１１に記載の高周波加温バルーンカテーテル。
【請求項１３】
前記モニター用電極と前記第２モニター用電極との間に交流と直流を分離する信号分離器が外部に接続され、前記信号分離器にバルーン周囲電位を測定するバルーン電位測定器と前記直流インピーダンスとが接続され、電極間インピーダンスと前記バルーン周囲電位とを同時に記録してアブレーションの進行度合を測定可能である
ことを特徴とする請求項１２に記載の高周波加温バルーンカテーテル。
【請求項１４】
前記１本以上の針金部材は複数本の針金部材であり、
前記複数本の針金部材の各々の針金部材は弓状に展開し、全体でバスケット状に展開可能であり、
展開した前記複数本の針金部材は、膨張した状態の前記バルーンが標的病変部を支持することを補助するように、標的病変部の近傍部位を支持可能に配置される
ことを特徴とする請求項１に記載の高周波加温バルーンカテーテル。
【発明の詳細な説明】
【技術分野】
【０００１】
本発明は、高周波加温バルーンカテーテルに係り、特に循環器疾患を治療するために用いられる高周波温熱治療用のバルーンカテーテルに関する。
【背景技術】
【０００２】
不整脈発生源や動脈硬化等の病変に対して、収縮自在なバルーンの内部に高周波通電用電極を配設し、ここから高周波電界を放射してバルーンと接触する組織を加温し治療する方法が提案されている（例えば、本出願人による特許第２５３８３７５号、特許第２５１０４２８号、特許第２５７４１１９号公報、米国特許Ｎｏ．６，４９１，７１０Ｂ２号公報）。
【０００３】
高周波電界を放射してバルーンと接触する標的組織を適正に加温し治療するためには、標的組織の電気的状態を把握する必要がある。
【０００４】
従来、標的組織の電気的状態を把握する方法としては、バルーンアブレーション用カテーテルと診断用電極カテーテルとは別々の装置として構成され、バルーンによるアブレーション（焼灼）の前後で診断用電極カテーテルを使用して心内電位の記録をおこなっていた。診断用電極カテーテルとしては、例えばバスケット型やラッソ環状型等の電極が知られている。
【０００５】
しかしながら、バルーンアブレーションの前後で診断用電極カテーテルを使用して心内電位の記録を行う場合では、アブレーション中の電位変化がわからないという問題がある。
【０００６】
そこで、アブレーション中の標的組織の電気的状態を把握する第１の方法として、アブレーション用の電極とは別に、高周波加温バルーンカテーテルの内筒シャフトの先端部に付属電極を設け、この付属電極によって標的組織の電気的状態を検出することが試みられている。
【０００７】
また、アブレーション中の標的組織の電気的状態を把握する第２の方法として、アブレーション用の電極とは別に、極細環状の電極カテーテルを高周波加温バルーンカテーテルの内筒シャフト内に挿入し、この極細環状の電極カテーテルによって標的組織の電気的状態を検出することが試みられている。
【先行技術文献】
【特許文献】
【０００８】
【特許文献１】特開２００３−１０２８５０号公報
【特許文献２】特開２００５−１７７２９３号公報
【特許文献３】特開２００３−２１０５９０号公報
【特許文献４】特開２００５−０００６５４号公報
【特許文献５】特開２００３−２３５８２１号公報
【特許文献６】特開２００３−２３０６３５号公報
【発明の開示】
【発明が解決しようとする課題】
【０００９】
しかしながら、付属電極を用いる第１の方法では、バルーンの前端部から離れた位置にある内筒シャフトの前端にある部位に、内筒シャフトにコイル状に直接的に巻かれて設置されているため、付属電極の位置が標的組織から半径方向に距離があり焼灼部位の詳細な電位記録ができないという問題があった。また、電極がコイル状である等のために、熱伝導や電磁結合により付属電極が加熱され付属電極の表面に血栓が形成され塞栓症をおこす危険があるという問題があった。
【００１０】
また、極細環状電極カテーテルを用いる第２の方法では、次のような問題があった。高周波加温バルーンカテーテルの内筒シャフトは細く形成されているものであり、内筒シャフト内に極細環状電極カテーテルを挿入しているために、極細環状電極カテーテルに加えて、内筒シャフト内にガイドワイヤを挿通することができない。このために、バルーンが膨張した状態で標的病変部に接触する状態を内筒シャフトの前端から突出するガイドワイヤを用いて十分に支持する手法を採用することができない。一方、極細環状電極カテーテルは細く曲がりやすく、ガイドワイヤの代役を務めることができないという問題があった。
【００１１】
そこで、本発明の目的は、上記従来技術の有する問題を解消し、内筒シャフト内にガイドワイヤを挿通させてガイドワイヤを使用することを可能にするとともに、アブレーション中の標的組織の電位等の電気的状態を把握することを可能にする高周波加温バルーンカテーテルを提供することである。
【課題を解決するための手段】
【００１２】
上記目的を達成するために、本発明の高周波加温バルーンカテーテルは、ガイドシース内に押し入れて使用される高周波加温バルーンカテーテルであって、外筒シャフトと内筒シャフトとからなるカテーテルシャフトと、膨張した状態で標的病変部に接触可能な形状を有する前記外筒シャフトと前記内筒シャフトとの間に設置されたバルーンと、高周波電力を伝送可能な前記バルーンの壁内又はバルーン内に配設された高周波通電用電極と、前記バルーン内の温度をモニター可能な温度センサーと、前記内筒シャフト内に挿通され前記内筒シャフトの前端部から突出するガイドワイヤーと、前記バルーンの前方に位置する前記内筒シャフトのバルーン近接部位に取り付けられ、前記バルーンが膨張した状態で前記標的病変部の近傍部の電位をモニター可能なモニター用電極と、を備え、前記モニター用電極は、前記内筒シャフトの外側回りに配設され、前記ガイドシース内にある拘束状態から抜け出ると前記内筒シャフトの軸心に直交する方向に展開可能である１本以上の電気的に絶縁被覆された針金部材と、前記１本以上の針金部材の各々の針金部材に取り付けられ前記標的病変部近傍の電位を検出する電極部とを有することを特徴とする。
【００１３】
また、前記バルーンの前方の前記内筒シャフトに固定して設けられ、前記１本以上の針金部材の各々の針金部材の後方側端部が取り付けられる電気的絶縁性の後方電極保持部を備えることを特徴とする。
【００１４】
また、前記後方電極保持部の前方の前記内筒シャフト上に、前記内筒シャフトの軸心方向にスライド可能に設けられ、前記１本以上の針金部材の各々の針金部材の前方側端部が取り付けられる電気的絶縁性の前方電極保持部を備え、前記前方電極保持部が後方側へスライドして前記モニター用電極が展開する
ことを特徴とする。
【００１５】
また、前記内筒シャフトに接する前記前方電極保持部の面は、断面視において前記内筒シャフトの軸方向の周面に対して弓状の曲面に形成されている
ことを特徴とする。
【００１６】
また、前記針金部材は、弓状に展開可能であり、前記電極部は前記針金部材の中間部に設けられていることを特徴とする。
【００１７】
また、前記針金部材は、先端部が自由端であって、釣鐘状に展開可能であり、前記電極部は前記針金部材の前記前方側端部に設けられていることを特徴とする。
【００１８】
また、前記後方電極保持部は前記バルーンの外側にあることを特徴とする。
【００１９】
また、前記後方電極保持部は前記バルーンの内側にあることを特徴とする。
【００２０】
また、前記針金部材は形状記憶合金からなることを特徴とする。
【００２１】
また、前記１本以上の針金部材の本数は１本乃至１０本のいずれかである
ことを特徴とする。
【００２２】
また、前記電極部は、１個乃至１０個の電極ユニットからなることを特徴とする。
【００２３】
また、前記電極部は、前記カテーテルシャフトを介して体外電位測定器に接続され、１個乃至１０個の電極ユニットからなることを特徴とする。
【００２４】
また、前記バルーン後方側の前記カテーテルシャフトに第２のモニター用電極を備えることを特徴とする。
【００２５】
また、前記モニター用電極と前記第２モニター用電極との間に微小直流電流を流し電極間インピーダンスの変化を測定するインピーダンス測定器が外部に接続されていることを特徴とする。
【００２６】
また、前記モニター用電極と前記第２モニター用電極との間に交流と直流を分離する信号分離器が外部に接続され、前記信号分離器にバルーン周囲電位を測定するバルーン電位測定器と前記直流インピーダンスとが接続され、電極間インピーダンスと前記バルーン周囲電位とを同時に記録してアブレーションの進行度合を測定可能であることを特徴とする。
【００２７】
また、前記１本以上の針金部材は複数本の針金部材であり、前記複数本の針金部材の各々の針金部材は弓状に展開し、全体でバスケット状に展開可能であり、展開した前記複数本の針金部材は、膨張した状態の前記バルーンが標的病変部を支持することを補助するように、標的病変部の近傍部位を支持可能に配置されることを特徴とする。
【発明の効果】
【００２８】
モニター用電極は前記バルーンの前方側端部に近接する前記内筒シャフトのバルーン近接部位に取り付けられているので、内筒シャフトへのガイドワイアーの挿入が妨げられないので、バルーンをガイドワイアーを用いて至適部位へ導入し支持することができる。
【００２９】
この結果、内筒シャフト内に挿通され内筒シャフトの前端部から突出するガイドワイヤーによって、膨張した状態で標的病変部に接触するバルーンを支持することができるとともに、バルーンの前方側端部に近接する内筒シャフトのバルーン近接部位に取り付けられたモニター用電極によって、バルーンが膨張した状態で標的病変部の近傍部の電気的状態をモニターし、アブレーション中の標的病変部の電気的状態を把握することが可能になる。
【００３０】
また、モニター用電極は、高周波通電用電極やガイドワイアーから離れた部位に位置することになるので、高周波通電中も電磁結合や熱伝導による血栓形成を生じないようにすることができる。
【００３１】
また、前記バルーンの前方側端部の前記内筒シャフトの部位に固定して後方電極保持部を設けたので、モニター用電極を確実に内筒シャフトのバルーン近接部位に取り付けることが可能になる。
【００３２】
また、前方電極保持部を備えるので、前記前方電極保持部が後方側へスライドして前記モニター用電極を確実に展開することができる。
【００３３】
また、弓状に展開された複数の針金部材は内藤シャフトの周囲にバスケット状に配置されることによって、針金部材は内側から肺静脈等の組織を支えることができ、バルーンを標的病変部に保持することに対する助けとすることができる。
【図面の簡単な説明】
【００３４】
【図１】本発明の高周波加温バルーンカテーテルの第１の実施形態を示す図であり、高周波バルーンカテーテルによる肺静脈口周囲心房側を焼灼する例を示す。
【図２】本発明の高周波加温バルーンカテーテルの第１の実施形態におけるモニター用電極を示す図。
【図３】本発明の高周波加温バルーンカテーテルの第１の実施形態における前方電極保持部の断面を説明する図。
【図４】本発明の高周波加温バルーンカテーテルの第１の実施形態を示す図であり、モニター用電極がガイドシースから抜けている状態を示す。
【図５】本発明の高周波加温バルーンカテーテルの第２の実施形態を示す図であり、モニター用電極がイドシース内にある状態を示す。
【図６】バルーンカテーテルの振動伝播偏向手段を示し、図５のＣ−Ｃにおける断面図。
【図７】本発明の高周波加温バルーンカテーテルの第２の実施形態を示す図であり、モニター用電極が挿入シース内にある状態を示す。
【図８】高周波バルーンカテーテルによる肺静脈口周囲心房側の患部を焼灼することを示す図。
【発明を実施するための最良の形態】
【００３５】
以下に本発明に係る肺静脈高周波加温バルーンカテーテルの実施の形態を添付した図面を参照して説明する。以下の説明において、「前方」とは、高周波加温バルーンカテーテル１いおいて、ガイドワイヤー９の先端部がある側をさし、「外方」とは、操作者によって扱われる側をさす。
【００３６】
まず、本願発明の第１の実施形態について説明する。  
図１及び図２において、高周波加温バルーンカテーテル１は、外筒シャフト１と内筒シャフト３とからなるカテーテルシャフト４と、膨張した状態で標的病変部５に接触可能な形状を有する外筒シャフト２の先端部と内筒シャフト３の中間部との間に設置されたバルーン６と、高周波電力を伝送可能なバルーン６内に配設された高周波通電用電極７と、バルーン６内の温度をモニター可能な温度センサー８と、内筒シャフト３内に挿通され内筒シャフト３の前端部から突出するガイドワイヤー９と、バルーン６の前方側端部に近接する内筒シャフト３のバルーン近接部位３ａに取り付けられ、バルーン６が膨張した状態で標的病変部６の近傍部１０の電位等の電気的状態をモニター可能なモニター用電極１１とを備えている。なお、モニター用電極１１は、バルーン６の前方側端部に近接する内筒シャフト３のバルーン近接部位３ａに取り付けられるとしたが、バルーン６の前方であればバルーン６の前方側端部に限る必要はない。以下も同様である。
【００３７】
モニター用電極１１は、内筒シャフト３の外側回りに配設され、ガイドシース１２内にある拘束状態から抜け出ると内筒シャフト３の軸心に直交する方向に展開可能である１本以上の針金部材１３と、１本以上の針金部材１３の各々の針金部材１３に取り付けられ標的病変部５の近傍部１０の電位を検出する電極部１４とを有する。
【００３８】
バルーン６の前方側端部の内筒シャフト３の部位に後方電極保持部１５が固定して設けられており、後方電極保持部１５は針金部材１３の後方側端部が取り付けられ電気的絶縁性に形成されている。後方電極保持部１５は、バルーン６の外側にバルーン６に接して設けられている。なお、後方電極保持部１５をバルーン６の内側にバルーン６に接して設けることも可能である。
【００３９】
前方電極保持部１６が、内筒シャフト３の軸心方向にスライド可能に、後方電極保持部１５の前方側の内筒シャフト３に設けられている。前方電極保持部１６には、針金部材１３の前方側端部が取り付けられている。前方電極保持部１６は電気的絶縁性である。
【００４０】
このように、針金部材１３の後方側端部が後方電極保持部１５に取り付けられ、針金部材１３の前方側端部が前方電極保持部１６に取り付けられている。
【００４１】
モニター用電極１１において、針金部材１３の本数は、１〜１０本、例えば４本である。１本の針金部材１３には、１〜１０個の電極部１４が設けられている。図１に示す例では、１本の針金部材１３に１個の電極部１４が針金部材１３の中央部に設けられている。なお、複数個、例えば２〜１０個の電極部１４を１本の針金部材１３に設けることも可能であり、この場合には、標的病変部５の近傍部１０の電気状態をより高精度に把握することが可能になる。
【００４２】
内筒シャフト３に接する前方電極保持部１６の面は、滑り易くするために、図３に示すように、断面視において内筒シャフト３の軸方向の周面に対して弓状の曲面に形成されている。
【００４３】
図４において、モニター用電極１１の針金部材１３は、形状記憶合金で形成されており、ガイドシース１２内にあるときには拘束力を受けで直線状の形状を保ち、ガイドシース１２から抜け出ると予め記憶された形状になるように変形し内筒シャフト３の軸心に直交する方向に展開する。
【００４４】
モニター用電極１１の針金部材１３が複数の場合に、展開された複数の針金部材１３はバスケット状に配置される。
【００４５】
なお、針金部材１３を形状記憶合金で形成する代わりに、適度な弾性を有する金属材で形成し、ガイドシース１２内にあるときは弾性力に抗して拘束状態にあり、拘束状態から抜け出ると弾性力によって自動的に内筒シャフト３の軸心に直交する方向に展開するようにしてもよい。
【００４６】
図４において、前方電極保持部１６が後方側へスライドして、図１に示すようにモニター用電極１１が弓状に展開する。
【００４７】
モニター用電極１１は、ガイドシース１２から抜け出ると、針金部材１３を形成する形状記憶合金の特性に従って、針金部材１３を形成する金属材の弾性特性に従って、前方電極保持部１６が後方側へスライドするとともに針金部材１３が弓状に展開する。この状態で、図１に示すように、針金部材１３の中央部にある電極部１４が標的病変部５の近傍部１０に接触し、近傍部１０の電位をリング状に分布する部位を検出することによりバルーン６で焼灼中の標的病変部５の電位等の電気的状態を把握することが可能になる。
【００４８】
また、弓状に展開された複数の針金部材１３は内藤シャフト３の周囲にバスケット状に配置されることになり、これによって、複数の針金部材１３は内側から肺静脈等の組織を支えることができ、バルーン６を標的病変部５に保持することに対する助けとすることができる。
【００４９】
また、バルーン６の後方側のカテーテルシャフト４の外筒シャフト２に第２のモニター用電極１７が設けられている。モニター用電極１１と前記第２モニター用電極との間にバルーン６が位置する。第２のモニター用電極１７は、モニター用電極１１に対してバルーン６を挟んでバルーン６に近接して位置するために、バルーン６による標的病変部５の焼灼による電位等の電気的状態をモニターする上で、非常に好適な基準電位を与えることができる。
【００５０】
モニター用電極１１と第２モニター用電極１７との間に微小直流電流を流し電極間インピーダンスの変化を測定するためのインピーダンス測定器３１が外部で接続されている。
【００５１】
また、モニター用電極１１と第２モニター用電極１７との間に交流と直流を分離する信号分離器３３が接続されている。信号分離器３３には、インピーダンス測定器３１とバルーン６の周囲電位を測定するためのバルーン電位測定器３２が接続されている。これによって、モニター用電極１１と第２モニター用電極１７との間の電極間インピーダンスとバルーン周囲電位とを同時に記録し、アブレーションの進行度合を測定することが可能になる。
【００５２】
また、高周波通電用電極７には、カテーテルシャフト４を介して高周波発生器３０によって高周波電力が供給される。
【００５３】
また、高周波バルーンカテーテル１による標的病変部５をアブレーション（焼灼）するに際し、高周波バルーンカテーテル１は内筒シャフト３の前端部から突出するガイドワイヤー９を備えているので、ガイドワイヤー９を患部の近傍に当接してバルーン６を支持することができ、バルーン６と標的病変部５との接触を適正に行うことができる。
【００５４】
図８は高周波バルーンカテーテル１による肺静脈口周囲心房側の患部をアブレーション（焼灼）することを示す。
【００５５】
バルーン６内を外筒シャフト２の注入口より何度も図示しない注射器により生理食塩水で注入吸引をくりかえして、空気抜きを行う。高周波バルーンカテーテル１を血管に挿入時はバルーン６を収縮させながら内筒シャフト３をスライドさせて前方に限界まで押し出す。このとき内筒シャフト３の前方部と外筒シャフト２の先端部の間がひろがるので、バルーン６の径は最小となる。この状態で、前方にモニター用電極１１のついたバルーン６を大腿静脈内へガイドワイヤー９とガイドシース１２を用いて挿入する。高周波バルーンカテーテル１を操作して、経心房中隔的に肺静脈口に近づけたところで、内筒シャフト３をひきながらバルーン６を造影剤と生理食塩水を注入して肺静脈口の大きさより５〜１０ｍｍ大きく拡張させ、さらにカテーテルを細かく操作してバルーン６を肺静脈口周囲左心房４０の標的病変部５に接触させる。
【００５６】
また、カテーテルシャフト４には、バルーン６の内部の流体の温度を空間的に均一化するために、バルーン６の内部の流体に振動を与えるための振動発生器３４が接続されている。図１においてバルーン６内に示される矢印は、バルーン６内で流体が振動によって循環されていることを示す。
【００５７】
次に、バルーンカテーテルの具体的な操作は次のように行う。  
高周波発生器３０により高周波電流（１３．５６MHｚ）を高周波通電用電極７と図示しない外部の対極板に流すと容量結合型加熱が生じ、バルーン６およびバルーン６と接触する標的病変部５が高周波加熱される。バルーン内温度分布は通常であれば対流熱により温度格差があるが、振動発生器３４の作用によって旋回する渦により攪拌されてこの温度格差が解消され、バルーン６と接触する標的病変部５は均一に加温される。肺静脈を電気的に隔離しかつ肺静脈口周囲左心房４０を焼灼して肺静脈および肺静脈口の周囲を起源とする心房細動を適正に治療することが可能になる。
【００５８】
以上のように、本願発明の上述の本実施形態によれば、モニター用電極１１はバルーン６の前方側端部に近接する内筒シャフト３のバルーン近接部位３ａに取り付けられているので、内筒シャフト３へのガイドワイアー９の挿入が妨げられないので、バルーン６をガイドワイアー９を用いて至適部位へ導入し支持することができる。この結果、内筒シャフト３から突出するガイドワイヤー９によって、膨張した状態で標的病変部５に接触するバルーン６を支持することができるとともに、モニター用電極１１によって、バルーン６が膨張した状態で標的病変部５の近傍部の電気的状態をモニターし、アブレーション中の標的病変部５の電気的状態を把握することが可能になる。
【００５９】
また、モニター用電極１１は、高周波通電用電極７やガイドワイアー９から離れた部位に位置することになるので、高周波通電中も電磁結合や熱伝導による血栓形成を生じないようにすることができる。
【００６０】
また、バルーン６の前方側端部の内筒シャフト３の部位に固定して後方電極保持部１５を設けたので、常に後方電極保持部１５の一端部がバルーン６の前方側端部に近接し、モニター用電極１５を確実に内筒シャフト３のバルーン近接部位３ａに取り付けることが可能になる。
【００６１】
また、前方電極保持部１６を備えるので、前方電極保持部１５が後方側へスライドしてモニター用電極１１を確実に簡易に展開することが可能になる。
【００６２】
また、内筒シャフト３に接する前方電極保持部１６の面は、断面視において内筒シャフト３の軸方向の周面に対して弓状の曲面に形成されているので、前方電極保持部１６を簡易な構成で内筒シャフト３上を容易にスライドさせることができる。
【００６３】
また、第２のモニター用電極１７は、モニター用電極１１に対してバルーン６を挟んでバルーン６に近接して位置するように設けられているので、バルーン６による標的病変部５の焼灼による電気的状態の変化のみを適正に抽出することが可能になる。
【００６４】
また、第２モニター用電極１７を設けたので、モニター用電極１１と第２モニター用電極１７との間の電極間インピーダンスの変化を測定することが可能になる。
【００６５】
また、信号分離器３３と、これに接続してインピーダンス測定器３１とバルーン電位測定器３２を設けたので、電極間インピーダンスとバルーン周囲電位とを同時に記録し、アブレーションの進行度合を測定することが可能になる。
【００６６】
次に、図５，図６及び図７を参照して、本願発明の第２の実施形態について説明する。
【００６７】
本実施形態では、モニター用電極２１は、ガイドシース１２内にある拘束状態から抜け出ると内筒シャフト３の軸心に直交する方向に転回可能である１本以上の針金部材２３と、各々の針金部材２３の先端部に取り付けられ標的病変部５の近傍部１０の電位を検出する球状の電極部２４とを有する。
【００６８】
後方電極保持部１５は、バルーン６の内側にバルーン６に接して内藤シャフト３に固定して設けられている。モニター用電極２１の針金部材２３において、その後方側端部は後方電極保持部１５に取り付けられており、その前方側端部は自由端として形成されている。
【００６９】
モニター用電極２１の針金部材２３は形状記憶合金で形成されている。針金部材２３は、ガイドシース１２内にある拘束状態から抜け出ると釣鐘状に展開するようになっている。モニター用電極２１が釣鐘状に展開すると、針金部材２３の自由端に取り付けられた電極部２４が標的病変部５の近傍部１０に接触する。
【００７０】
図７において、符合２５は挿入シースを示している。高周波バルーンカテーテル１は、挿入シース２５内を通って挿入シース２５に付属する逆流防止弁２６を通過しガイドシース１２内へ送られる。
【００７１】
ガイドシース１２内では、モニター用電極２１は拘束されて直線状の状態にあり、ガイドシース１２の前端から抜けると、針金部材２３が形状記憶合金で形成されている効果として、釣鐘状に展開する。
【００７２】
以上のように、モニター用電極２１の針金部材２３は釣鐘状に展開可能であり、電極部２４は針金部材２３の前方側端部に設けられているので、確実に電極部２４を標的病変部５の近傍部１０に接触させることができる。
【００７３】
また、電極部２４は球状に形成されているので、標的病変部５の近傍部１０を損傷させることなく接触することができる。
【符号の説明】
【００７４】
１  高周波加温バルーンカテーテル
２  外筒シャフト
３  内筒シャフト
３ａ  内筒シャフトのバルーン近接部位
４  カテーテルシャフト
５  標的病変部
６  バルーン
７  高周波通電用電極
８  温度センサー
１０  標的病変部５の近傍部
１１  モニター用電極
１２  ガイドシース
１３、２３  針金部材
１４、２４  電極部
１５  後部電極保持部
１６  前方電極保持部
１７  第２モニター用電極
２５  挿入シース
３０  高周波発生器
３１  インピーダンス測定器
３２  バルーン電位測定器
３３  信号分離器
【図１】
0005160618.tif 000002
【図２】
0005160618.tif 000003
【図３】
0005160618.tif 000004
【図４】
0005160618.tif 000005
【図５】
0005160618.tif 000006
【図６】
0005160618.tif 000007
【図７】
0005160618.tif 000008
【図８】
0005160618.tif 000009